【手続補正書】
【提出日】平成27年9月3日(2015.9.3)
【手続補正１】
【補正対象書類名】明細書
【補正対象項目名】００１０
【補正方法】変更
【補正の内容】
【００１０】
上記目的を達成するため、本発明に係る印刷装置は、
第１の搬送速度に対応する回転速度で回転する第１のローラ対と、
記録媒体を前記第１のローラ対に向けて送り出すために回転する第２のローラ対と、
前記第２のローラ対により送り出された記録媒体を前記第１のローラ対が挟持するまでは前記第２のローラ対が前記第１の搬送速度よりも小さい第２の搬送速度で記録媒体を送り出すように前記第２のローラ対を制御し、前記第２のローラ対により送り出された記録媒体を前記第１のローラ対が挟持した後は前記第２のローラ対が前記第１のローラ対により搬送される記録媒体に受動して回転するように前記第２のローラ対を制御する制御部と、
を備えたことを特徴とする。
【手続補正２】
【補正対象書類名】明細書
【補正対象項目名】００１１
【補正方法】変更
【補正の内容】
【００１１】
また、上記目的を達成するため、本発明に係る供給装置は、
第１の搬送速度に対応する回転速度で回転する第１のローラ対を備えた画像形成装置の前記第１のローラ対に向けて記録媒体を送り出すために回転する第２のローラ対と、
前記第２のローラ対により送り出された記録媒体を前記第１のローラ対が挟持するまでは前記第２のローラ対が前記第１の搬送速度よりも小さい第２の搬送速度で記録媒体を送り出すように前記第２のローラ対を制御し、前記第２のローラ対により送り出された記録媒体を前記第１のローラ対が挟持した後は前記第２のローラ対が前記第１のローラ対により搬送される記録媒体に受動して回転するように前記第２のローラ対を制御する制御部と、
を備えることを特徴とする。
【手続補正３】
【補正対象書類名】明細書
【補正対象項目名】００１２
【補正方法】変更
【補正の内容】
【００１２】
また、上記目的を達成するため、本発明に係るローラの駆動制御方法は、
第１の搬送速度に対応する回転速度で回転するローラ対を備えた画像形成装置の前記ローラ対に向けて記録媒体を送り出すために回転するローラの制御方法であって、
前記ローラにより送り出された記録媒体を前記ローラ対が挟持するまでは前記ローラが前記第１の搬送速度よりも小さい第２の搬送速度で記録媒体を送り出すように制御し、
前記ローラにより送り出された記録媒体を前記ローラ対が挟持した後は前記ローラが前記ローラ対により搬送される記録媒体に受動して回転するように制御する、
ことを特徴とする。
【手続補正４】
【補正対象書類名】明細書
【補正対象項目名】００１３
【補正方法】変更
【補正の内容】
【００１３】
また、上記目的を達成するため、本発明に係るプログラムは、
コンピュータに、
第１の搬送速度に対応する回転速度で回転するローラ対を備えた画像形成装置の前記ローラ対に向けて記録媒体を送り出すために回転するローラを制御するように機能させるプログラムであって、
前記ローラにより送り出された記録媒体を前記ローラ対が挟持するまでは前記ローラが前記第１の搬送速度よりも小さい第２の搬送速度で記録媒体を送り出すように制御させ、
前記ローラにより送り出された記録媒体を前記ローラ対が挟持した後は前記ローラが前記ローラ対により搬送される記録媒体に受動して回転するように制御させる、
ことを特徴とする。
【手続補正５】
【補正対象書類名】特許請求の範囲
【補正対象項目名】全文
【補正方法】変更
【補正の内容】
【特許請求の範囲】
【請求項１】
第１の搬送速度に対応する回転速度で回転する第１のローラ対と、
記録媒体を前記第１のローラ対に向けて送り出すために回転する第２のローラ対と、
前記第２のローラ対により送り出された記録媒体を前記第１のローラ対が挟持するまでは前記第２のローラ対が前記第１の搬送速度よりも小さい第２の搬送速度で記録媒体を送り出すように前記第２のローラ対を制御し、前記第２のローラ対により送り出された記録媒体を前記第１のローラ対が挟持した後は前記第２のローラ対が前記第１のローラ対により搬送される記録媒体に受動して回転するように前記第２のローラ対を制御する制御部と、
を備えた印刷装置。
【請求項２】
前記第１のローラ対は、前記第２のローラ対により送り出された記録媒体を挟持するのに先立って、前記第１の回転速度での回転を開始する、
ことを特徴とする請求項１に記載の印刷装置。
【請求項３】
前記第２のローラ対から送り出される記録媒体の、前記第２のローラ対よりも上流の搬送経路の途中に、記録媒体の搬送方向を前記第２のローラ対の方向に転換させるためのガイドを備え、
前記ガイドは、前記第１のローラ対により搬送される記録媒体に受動して回転するように前記第２のローラ対が所定の期間だけ制御された後に、所定の位置に待避制御される、
ことを特徴とする請求項１又は２に記載の印刷装置。
【請求項４】
前記第２のローラ対から送り出される記録媒体の、前記ガイドよりも上流の搬送経路の途中に、第３のローラ対を備え、
前記第３のローラ対は、前記第１のローラ対により搬送される記録媒体に受動して回転するように前記第２のローラ対が所定の期間だけ制御された後に、前記第１の搬送速度よりも大きい第３の搬送速度で記録媒体を送り出すように回転制御される、
ことを特徴とする請求項３に記載の印刷装置。
【請求項５】
前記第１ローラ対は、画像を形成する画像形成装置に備えられ、
前記第２のローラ対は、記録媒体を給紙する供給装置に備えられ、
前記画像形成装置は、前記ガイドにより方向転換された搬送方向の延長線上に前記１ローラ対が位置するように配置されている、
ことを特徴とする請求項３又は４に記載の印刷装置。
【請求項６】
前記第２のローラ対から送り出される記録媒体の、前記第２のローラ対よりも上流の搬送経路の途中に、記録媒体の搬送方向を前記第２のローラ対の方向に転換させるためのガイドを備え、
前記ガイドは、前記第１のローラ対により搬送される記録媒体が所定のカット部材により切断される際は、所定の位置に待避制御される、
ことを特徴とする請求項１又は２に記載の印刷装置。
【請求項７】
第１の搬送速度に対応する回転速度で回転する第１のローラ対を備えた画像形成装置の前記第１のローラ対に向けて記録媒体を送り出すために回転する第２のローラ対と、
前記第２のローラ対により送り出された記録媒体を前記第１のローラ対が挟持するまでは前記第２のローラ対が前記第１の搬送速度よりも小さい第２の搬送速度で記録媒体を送り出すように前記第２のローラ対を制御し、前記第２のローラ対により送り出された記録媒体を前記第１のローラ対が挟持した後は前記第２のローラ対が前記第１のローラ対により搬送される記録媒体に受動して回転するように前記第２のローラ対を制御する制御部と、
を備えることを特徴とする供給装置。
【請求項８】
第１の搬送速度に対応する回転速度で回転するローラ対を備えた画像形成装置の前記ローラ対に向けて記録媒体を送り出すために回転するローラの制御方法であって、
前記ローラにより送り出された記録媒体を前記ローラ対が挟持するまでは前記ローラが前記第１の搬送速度よりも小さい第２の搬送速度で記録媒体を送り出すように制御し、
前記ローラにより送り出された記録媒体を前記ローラ対が挟持した後は前記ローラが前記ローラ対により搬送される記録媒体に受動して回転するように制御する、
ことを特徴とするローラの駆動制御方法。
【請求項９】
コンピュータに、
第１の搬送速度に対応する回転速度で回転するローラ対を備えた画像形成装置の前記ローラ対に向けて記録媒体を送り出すために回転するローラを制御するように機能させるプログラムであって、
前記ローラにより送り出された記録媒体を前記ローラ対が挟持するまでは前記ローラが前記第１の搬送速度よりも小さい第２の搬送速度で記録媒体を送り出すように制御させ、
前記ローラにより送り出された記録媒体を前記ローラ対が挟持した後は前記ローラが前記ローラ対により搬送される記録媒体に受動して回転するように制御させる、
ことを特徴とするプログラム。